(57)【要約】【課題】生活習慣病や健康管理に関し、普段の生活の中に潜む原因を究明すると共に生活目標を達成する生活状況管理システムを提供する。【解決手段】生活状況管理対象者の生活環境から必要な情報を取得して分析する管理サーバは、前記生活状況管理対象者から、生活環境に関する情報、管理対象とする管理対象生活状況及び生活目標を取得して当該管理受付をする管理受付手段と、該管理受付手段が受け付けた管理対象生活状況に基づいて前記生活環境から情報収集の対象とする電気機器及び必要に応じて設置したセンサの中から対象機器を選択する情報収集対象選択手段と、該情報収集対象選択手段が選択した対象機器から適宜情報を所定期間収集する情報収集手段と、該情報収集手段が収集した収集情報と前記生活目標とを、必要に応じて基準となる基準情報を参照し比較して生活状況管理者及び前記生活状況管理対象者にそれぞれ報知する生活状況報知手段とを具備する。【選択図】図１
2007058852.tif 000002
【特許請求の範囲】
【請求項１】
生活状況管理対象者の生活環境から必要な情報を取得して分析する管理サーバを具備し、該管理サーバは、
前記生活状況管理対象者から、生活環境に関する情報、管理対象とする管理対象生活状況及び生活目標を取得して当該管理受付をする管理受付手段と、
該管理受付手段が受け付けた管理対象生活状況に基づいて前記生活環境に関する情報から情報収集の対象とする電気機器及び必要に応じて設置したセンサの中から対象機器を選択する情報収集対象選択手段と、
該情報収集対象選択手段が選択した対象機器から適宜情報を所定期間収集する情報収集手段と、
該情報収集手段が収集した収集情報を前記生活目標と比較して生活状況管理者及び前記生活状況管理対象者にそれぞれ報知する生活状況報知手段とを
具備することを特徴とする生活状況管理システム。
【請求項２】
請求項１において、前記管理受付手段は、まず、管理受付を行い、その後、予め前記情報収集対象選択手段が対象機器を選択すると共に前記情報収集手段が予備的に前記対象機器から情報を収集した後、この収集情報と基準となる基準情報を参照して前記生活目標を設定するものであることを特徴とする生活状況管理システム。
【請求項３】
請求項１又は２において、前記管理対象生活状況は、健康生活を維持するに適しているか否か又は生活習慣病の予兆があるか否かを判断するための生活状況であることを特徴とする生活状況管理システム。
【請求項４】
請求項１〜３の何れかにおいて、前記生活状況管理者が薬剤師、薬種商認定者、医師、保健士、栄養士、看護士から選択される何れかであり、当該生活状況管理者は前記収集情報と前記生活目標とを必要に応じて基準となる基準情報を参照しながら比較して分析し、その分析結果を前記生活状況管理対象者に報知することを特徴とする生活状況管理システム。
【請求項５】
請求項１〜４の何れかにおいて、前記管理受付手段は、ネットワークを介して前記生活状況管理対象者から少なくとも前記管理対象生活状況を受け付けることを特徴とする生活状況管理システム。
【請求項６】
請求項１〜５の何れかにおいて、前記生活状況管理者が前記生活状況管理対象者にアドバイスを与えながら前記管理対象生活状況及び生活目標を報知することを特徴とする生活状況管理システム。
【請求項７】
請求項１〜６の何れかにおいて、前記管理受付手段は、前記生活状況管理対象者から受け付けた管理受付を前記生活状況管理者に報知し、当該生活状況管理者は、前記生活状況管理対象者と共に前記生活目標を設定することを特徴とする生活状況管理システム。
【請求項８】
請求項１〜７の何れかにおいて、前記生活状況報知手段は、前記生活状況管理対象者及び前記生活状況管理者に対して、前記収集情報並びにこれと比較した前記生活目標及び必要に応じて基準となる基準情報を、ネットワークを介して提供することを特徴とする生活状況管理システム。
【請求項９】
請求項１〜８の何れかにおいて、前記生活状況報知手段は、前記生活状況管理対象者及び前記生活状況管理者に対して、前記収集情報並びにこれと比較した前記生活目標及び必要に応じて基準となる基準情報の他、過去の集計データや他の生活状況管理対象者のデータを提供することを特徴とする生活状況管理システム。
【請求項１０】
請求項１〜９の何れかにおいて、前記情報収集の対象とする電気機器は、各電気機器の使用状況を把握する電気機器管理サーバに各種手段により接続されており、前記情報収集手段は、前記電気機器管理サーバから前記電気機器の使用状況を収集することを特徴とする生活状況管理システム。
【発明の詳細な説明】
【技術分野】
【０００１】
本発明は、生活環境に設置された電気機器の使用状況や必要に応じて設置されたセンサによる検出からの情報に基づいて生活状況管理対象者の管理対象生活状況を把握する生活状況管理システムに関する。
【背景技術】
【０００２】
近年、核家族化が進むにつれ独居世帯や高齢者世帯が年々増加しているが、この様な世帯の住人の生活を管理するものとして、従来、メディカル機器を使用して、血圧、体温、心拍などを日々計測し、電話回線などを通じて医療機関へ送信する健康管理システムや、多くのセンサを住居に設置し、それらセンサの動作状況から導かれる生活パターンより緊急事態を認識して家族や関係機関へ通報する緊急通報システムが提供されている。また、このような世帯の住人である被管理者のトイレ使用状況及び外出状況を検知すると共に履歴を管理し、これらのデータに基づいて被管理者の生活状態を判定し、その健康管理データを外部へ定期的に出力するシステムが提案されている（特許文献１参照）。
【０００３】
しかしながら、被管理者が生活を監視されているという意識を持つなどの問題がある。
【０００４】
一方、近年、生活スタイルの変化や高齢化等に起因して生活習慣病対策の重要性がクローズアップされている。このような生活習慣病への対策は、通常の生活の行動そのもの、例えば、食行動、運動、睡眠などに関係するが、各個人が意識してもその行動そのものが完全に把握できず、改善しようと努めてもなかなか改善されないのが現状である。
【０００５】
また、生活習慣病対策だけでなく、一般的な健康管理に関しても、各個人が目標を立てて健康生活を維持しようとしても容易には実行できないという問題がある。
【０００６】
【特許文献１】特開２００３−２７１７４７号公報  （特許請求の範囲）
【発明の開示】
【発明が解決しようとする課題】
【０００７】
本発明は、上述した事情に鑑み、生活習慣病や健康管理に関し、普段の生活の中に潜む原因を究明すると共に生活目標を達成するための生活状況管理システムを提供することを課題とする。
【課題を解決するための手段】
【０００８】
前記課題を解決する第１の態様は、生活状況管理対象者の生活環境から必要な情報を取得して分析する管理サーバを具備し、該管理サーバは、前記生活状況管理対象者から、生活環境に関する情報、管理対象とする管理対象生活状況及び生活目標を取得して当該管理受付をする管理受付手段と、該管理受付手段が受け付けた管理対象生活状況に基づいて前記生活環境に関する情報から情報収集の対象とする電気機器及び必要に応じて設置したセンサの中から対象機器を選択する情報収集対象選択手段と、該情報収集対象選択手段が選択した対象機器から適宜情報を所定期間収集する情報収集手段と、該情報収集手段が収集した収集情報を前記生活目標と比較して生活状況管理者及び前記生活状況管理対象者にそれぞれ報知する生活状況報知手段とを具備することを特徴とする生活状況管理システムにある。
【０００９】
かかる第１の態様では、管理対象生活状況に基づいて情報収集の対象とする電気機器及び必要に応じてセンサを選択して情報収集を行うことにより、管理対象生活状況を把握し、これを生活状況管理者及び生活状況管理対象者に報知するので、これに基づき、生活状況管理対象者は生活状況管理者のアドバイスを受けながら生活状況を管理、分析することができる。
【００１０】
本発明の第２の態様は、第１の態様において、前記管理受付手段は、まず、管理受付を行い、その後、予め前記情報収集対象選択手段が対象機器を選択すると共に前記情報収集手段が予備的に前記対象機器から情報を収集した後、この収集情報と基準となる基準情報を参照して前記生活目標を設定するものであることを特徴とする生活状況管理システムにある。
【００１１】
かかる第２の態様では、予備的に収集した情報を基準となる基準情報などと比較することによって、生活目標を設定するので、的確な生活目標を設定することができる。
【００１２】
本発明の第３の態様は、第１又は２の態様において、前記管理対象生活状況は、健康生活を維持するに適しているか否か又は生活習慣病の予兆があるか否かを判断するための生活状況であることを特徴とする生活状況管理システムにある。
【００１３】
かかる第３の態様では、生活状況管理対象者は、報知された生活状況に基づいて、健康生活を維持するに適しているか否か又は生活習慣病の予兆があるか否かを判断することができる。
【００１４】
本発明の第４の態様は、第１〜３の何れかの態様において、前記生活状況管理者が薬剤師、薬種商認定者、医師、保健士、栄養士、看護士から選択される何れかであり、当該生活状況管理者は前記収集情報と前記生活目標とを必要に応じて基準となる基準情報を参照しながら比較して分析し、その分析結果を前記生活状況管理対象者に報知することを特徴とする生活状況管理システムにある。
【００１５】
かかる第４の態様では、生活状況管理対象者は、薬剤師などのアドバイスを受けて、生活状況をより的確に把握することができる。
【００１６】
本発明の第５の態様は、第１〜４の何れかの態様において、前記管理受付手段は、ネットワークを介して前記生活状況管理対象者から少なくとも前記管理対象生活状況を受け付けることを特徴とする生活状況管理システムにある。
【００１７】
かかる第５の態様では、生活状況管理対象者は、ネットワークに接続された端末を介して管理対象生活状況を報知して生活状況の管理を申し込むことができる。
【００１８】
本発明の第６の態様は、第１〜５の何れかの態様において、前記生活状況管理者が前記生活状況管理対象者にアドバイスを与えながら前記管理対象生活状況及び生活目標を報知することを特徴とする生活状況管理システムにある。
【００１９】
かかる第６の態様では、生活状況管理対象者は、生活状況管理者のアドバイスを受けながら、的確に管理対象生活状況及び生活目標を把握することができる。
【００２０】
本発明の第７の態様は、第１〜６の何れかの態様において、前記管理受付手段は、前記生活状況管理対象者から受け付けた管理受付を前記生活状況管理者に報知し、当該生活状況管理者は、前記生活状況管理対象者と共に前記生活目標を設定することを特徴とする生活状況管理システムにある。
【００２１】
かかる第７の態様では、生活状況管理者は、生活状況管理対象者が設定した管理対象生活状況に基づいて、生活目標の設定のアドバイスをすることができる。
【００２２】
本発明の第８の態様は、第１〜７の何れかの態様において、前記生活状況報知手段は、前記生活状況管理対象者及び前記生活状況管理者に対して、前記収集情報並びにこれと比較した前記生活目標及び必要に応じて基準となる基準情報を、ネットワークを介して提供することを特徴とする生活状況管理システムにある。
【００２３】
かかる第８の態様では、生活状況管理対象者は、その生活状況に関する情報をネットワークに接続された端末から入手することができる。
【００２４】
本発明の第９の態様は、第１〜８の何れかの態様において、前記生活状況報知手段は、前記生活状況管理対象者及び前記生活状況管理者に対して、前記収集情報並びにこれと比較した前記生活目標及び必要に応じて基準となる基準情報の他、過去の集計データや他の生活状況管理対象者のデータを提供することを特徴とする生活状況管理システムにある。
【００２５】
かかる第９の態様では、過去の集計データや他の生活状況管理対象者のデータと比較することにより、生活状況改善の意欲を向上させることができる。
【００２６】
本発明の第１０の態様は、第１〜９の何れかの態様において、前記情報収集の対象とする電気機器は、各電気機器の使用状況を把握する電気機器管理サーバに各種手段により接続されており、前記情報収集手段は、前記電気機器管理サーバから前記電気機器の使用状況を収集することを特徴とする生活状況管理システムにある。
【００２７】
かかる第１０の態様では、情報収集手段は、生活状況管理対象者の生活環境内に設置されている電気機器管理サーバから、選択された電気機器の使用状況を比較的容易に取得することができる。
【発明の効果】
【００２８】
本発明によれば、生活環境に設置された電気機器の使用状況や必要に応じて設置されたセンサによる検出から把握できる情報に基づいて、生活状況管理対象者及び生活状況管理者が管理対象生活状況を把握することができ、生活状況管理対象者は生活状況管理者のアドバイスを受けながら生活状況を把握、管理することができる。
【発明を実施するための最良の形態】
【００２９】
以下、本発明を実施形態に基づいて詳細に説明する。
【００３０】
図１には、生活習慣病対策などのための生活状況を管理するためのシステム構成を示す。図１に示すように、生活状況管理対象者（以下、被管理者という場合がある）の生活環境である被管理者宅１０には、電気機器として種々の電化製品１１、たとえば、冷蔵庫１１ａ、電子レンジ１１ｂ、照明器具１１ｃ、エアコン１１ｄ、必要に応じて設置したセンサ１２などが設置されており、各電化製品１１及びセンサ１２は、コンセントを介して電灯線１３に接続され、電力が供給されるようになっている。また、被管理者宅１０には、電気機器の使用状況を把握するための電気機器管理サーバである電気機器サーバ２０が設置されている。電気機器サーバ２０は、例えば、パーソナルコンピュータからなり、ＣＰＵ２１と共に、ＲＯＭ、ＲＡＭ及びハードディスクなどの記憶装置２２を具備し、液晶画面などの表示部２３及びキーボードなどの入力部２４を備える。また、電気機器サーバ２０は、インターネットなどのネットワーク３０を介して外部と接続するための送受信部２５を具備する。
【００３１】
電気機器サーバ２０が電化製品１１の使用状況を把握する手段は特に限定されないが、ＬＡＮケーブルなどの有線、又は無線を介して電気機器サーバ２０に使用状況を送信することができる、いわゆる情報家電を用いてもよいし、使用状況を把握するセンサを電化製品１１に設けて、センサからＬＡＮケーブルなどの有線、又は無線を介して使用状況を把握できるようにしてもよいし、又は電灯線通信を介して使用状況を把握するようにしてもよい。
【００３２】
電気機器サーバ２０は、インターネットなどのネットワーク３０を介して、外部の生活状況管理者（以下、管理者という場合がある）が使用する管理者端末４０及び管理サーバである健康管理サーバ５０に接続されている。
【００３３】
ここで、管理者端末４０は、例えば、パーソナルコンピュータであり、ＣＰＵ４１と共に、ＲＯＭ、ＲＡＭ及びハードディスクなどの記憶装置４２を具備し、液晶画面などの表示部４３、キーボードなどの入力部４４、及びインターネットなどのネットワーク３０を介して外部と接続するための送受信部４５を具備する。
【００３４】
一方、健康管理サーバ５０は、例えば、サーバコンピュータ又はパーソナルコンピュータなどであり、例えば、ＣＰＵ５１と共に、ＲＯＭ、ＲＡＭ及びハードディスクなどの記憶装置５２を具備し、液晶画面などの表示部５３、キーボードなどの入力部５４、及びインターネットなどのネットワーク３０を介して外部と接続するための送受信部５５を具備する。
【００３５】
また、健康管理サーバ５０は、ＣＰＵ５１及び記憶装置５２に格納されたプログラムにより、被管理者や管理者からのアクセスを許容すると共に各種情報を提供するように機能するようになっており、これらの機能は、管理受付手段６１、情報収集対象選択手段６２、情報収集手段６３、及び生活状況報知手段６４により実現されている。
【００３６】
ここで、管理受付手段６１は、被管理者や管理者からのアクセスを、例えば、ＩＤ及びパスワードを介して許可すると共に、被管理者から、生活環境に関する情報、管理対象とする管理対象生活状況及び生活目標を取得して、管理の受付を行うように機能する。なお、この際の受付は、顧客情報ＤＢ７０に登録し、再度のアクセスについては、顧客情報ＤＢ７０を介して許可するか否かを判断する。
【００３７】
ここで、生活環境に関する情報は、被管理者の生活環境に関する事項であり、情報収集の対象とすることができる電気機器があるか否か又は情報収集の対象とするセンサが設置できるか否かなどの情報が含まれている。また、管理対象生活状況は、詳細は後述するが、健康生活を維持するに適しているか否か又は生活習慣病の予兆があるか否かを判断するための生活状況であり、生活習慣病対策やハウスダスト対策に関する生活状況であり、例えば、飲酒、喫煙、清掃、朝食の摂取などをいい、例えば、表示画面に表示された例から選択できるようにする。また、生活目標は、選択した管理対象生活状況に応じて設定するものであり、詳細は後述するが、生活習慣病に関してはその対策事項、飲酒に関しては飲酒の回数、量などであり、喫煙に関しては喫煙回数などであり、朝食の摂取に関しては、毎日朝食を摂取するなどであり、これも表示された例から選択できるようにしてもよい。なお、生活目標は、被管理者が自ら設定してもよく、または被管理者からの受付時に設定する必要はなく、追って、管理者と相談の上、設定してもよい。
【００３８】
情報収集対象選択手段６２は、管理受付手段６１が受け付けた管理対象生活状況に基づいて、生活環境に関する情報を参照しながら生活環境である被管理者宅１０から情報収集の対象とする電化製品１１及び必要に応じて設置したセンサ１２の中から対象機器を選択する。この選択は、管理対象生活状況に応じて、適宜自動的に設定するようにする。例えば、管理対象生活状況が生活習慣病対策である場合には、冷蔵庫１１ａ、電子レンジ１１ｂ、照明１１ｃ、エアコン１１ｄなどが選択される。なお、設定した対象機器は、例えば、管理者と被管理者とが話し合い等により適宜変更できるようにしてもよい。
【００３９】
このようにして選択された対象機器の使用状況は、健康管理サーバ５０の情報収集手段６３が、例えば、被管理者宅１０の電気機器サーバ２０から適宜情報を所定期間収集する。ここで、収集する情報は、情報収集の対象となる対象機器の使用状況、すなわち、何時、どれだけ使用したかなど、使用時間及び使用期間などである。また、情報収集手段６３は、これらの情報を被管理者の情報と共に顧客情報ＤＢ７０に格納する。
【００４０】
生活状況報知手段６４は、情報収集手段が収集した収集情報と前記生活目標とを、必要に応じて基準となる基準情報を参照し比較して、その結果を生活状況管理者及び生活状況管理対象者にそれぞれ報知するものである。ここで、報知とは、管理者や被管理者に所定のタイミングで通知すること、又は管理者や被管理者がアクセスして要求した際に提供することをいう。
【００４１】
また、ここで報知する情報は、各種情報を整理したものであり、ケースによっては比較した情報により、例えば、自分の生活目標が達成されたか否かが判断できるが、専門的な分析が必要な場合もある。この場合には、例えば、薬局に駐在する薬剤師である管理者が、被管理者から収集した収集情報を生活目標と比較して、必要に応じて基準情報を参照しながら分析し、その分析結果を被管理者に通知するようにする。ここで、生活状況管理者は、収集された情報及び生活目標を必要に応じて基準情報を参照しながら比較して分析できる専門的な知識を有するものであれば特に限定されず、例えば、薬剤師や薬種商認定者の他、医師、保健士、栄養士、看護士などを挙げることができる。
【００４２】
なお、ここで、基準情報とは、例えば、一般的に基準とされる統計的なデータなどであり、生活目標によってはこのような基準情報が参照される。
【００４３】
また、報知する情報としては、収集情報並びにこれと比較した前記生活目標及び必要に応じて前記基準情報の他、過去の集計データや他の生活状況管理対象者のデータを提供してもよい。この場合、被管理者は、過去の自分のデータや他の被管理者の集計データと比較することにより、現在の状況を把握することができ、生活状況改善に関する意欲を高めることができる。
【００４４】
さらに、上述した説明では、管理受付手段６１は、ネットワークを介して前記生活状況管理対象者から少なくとも前記管理対象生活状況を受け付けるようにしたが、薬局の薬剤師などの管理者を介して申込書等の書面で受けつけて、管理者が管理者端末４０から入力してもよい。また、被管理者が管理者のところに出向き、管理者にアドバイスを受けながら管理対象生活状況及び生活目標を入力するようにしてもよい。さらに、管理受付手段６１が、生活状況管理対象者である被管理者から受け付けた管理受付を管理者端末４０に通知し、当該管理者が、生活状況管理対象者と共に生活目標を設定するようにしてもよい。
【００４５】
また、上述した説明では、生活状況報知手段６４は、生活状況管理対象者及び生活状況管理者に対して、収集情報並びにこれと比較した前記生活目標及び必要に応じて基準情報を、ネットワークを介して提供するようにしたが、これはデータを所定のタイミングで送信する、又は生活状況管理対象者及び生活状況管理者の閲覧要求に応じて提示することであるが、書面等を送付して通知するようにしてもよい。
【００４６】
なお、上述した電気機器サーバ２０は必ずしも必要ではなく、電気機器の使用状況を健康管理サーバ５０に提供できるようになっていればよい。また、電気機器の使用状況を外部に提供する装置と、被管理者が健康管理サーバ５０にアクセスして自己のデータを閲覧する装置とは同一である必要はなく、別体でもよく、被管理者が健康管理サーバ５０にアクセスする装置としては、専用端末あるいはテレビ電話やＷｅｂ閲覧機能を有するパーソナルコンピュータ以外の装置であってもよい。ここで、テレビ電話機能を有する装置を用いると、管理者と対話しながらネットワークを介して生活目標の設定や報知される情報に関するアドバイスを受けることができる。
【００４７】
（実施形態１）
以下、生活習慣病対策の場合を例にとって、さらに詳細に説明する。
【００４８】
まず、生活習慣病とは、高血圧、高脂血症、心臓病、糖尿病、脳卒中など生活習慣によって発症する危険性が高い疾病のことである。これらの生活習慣病の対策としては、例えば、高血圧の場合には、（１）禁煙、（２）お酒は適量、（３）肥満の改善、（４）適度な運動、（５）ストレスをためない、（６）過労を避ける、（７）十分な睡眠と規則正しい生活などがある。また、高脂血症の場合には、（１）脂っこい物、アルコール、お菓子、ジュース等糖分の摂取を控える、（２）タバコを控える、（３）適度な運動、が対策となる。心臓病の場合には、（１）タバコを控える、（２）肥満の改善、（３）適度な運動、（４）ストレスをためない、などである。また、糖尿病の場合には、（１）肥満の改善、（２）野菜を摂取する、（３）甘いもの、脂っこいものを控える、（４）適度な運動、が対策として挙げられる。脳卒中の場合には、（１）塩分を控える、（２）お酒は適量、（３）適度な運動、（４）タバコを控える、などを挙げることができる。
【００４９】
このような生活習慣病対策を管理したい場合には、各生活習慣病に対応する対策の何れか又は全てを管理対象生活状況とする。例えば、高血圧対策を目的とした場合には、（１）禁煙、（２）お酒は適量、（３）肥満の改善、（４）適度な運動、（５）ストレスをためない、（６）過労を避ける、（７）十分な睡眠と規則正しい生活などを管理対象生活状況とする。
【００５０】
次いで、管理対象生活状況を選択した後には、その具体的な生活状況に関する情報提供をするための電化製品１１やセンサ１２を選択する。この具体例を次に説明する。
【００５１】
例えば、「タバコを控える」という生活状況に関しては、例えば、空気清浄機又はエアコンのダストセンサ情報（通常は常時作動）などが情報収集の対象となる。また、「お酒を控える」という生活状況に関しては、冷蔵庫の使用情報が情報収集の対象となる。「肥満の改善」という生活状況に関しては、体重計や体脂肪計の利用情報、フィットネス機器や冷蔵庫の使用情報などが情報収集の対象となる。「適度な運動」という生活状況に関しては、フィットネス機器の使用情報が情報収集の対象となる。「ストレスをためない」という生活状況に関しては、マッサージ器、電話、テレビ、パソコン、ゲーム機などの使用情報が情報収集の対象となる。また、「規則正しい生活」という生活状況に関しては、照明、冷蔵庫、お風呂、トイレ、洗濯機、掃除機などの使用情報が情報収集の対象となる。
【００５２】
次に、このような生活習慣病対策の管理の受付があった後のフローを図２に示す。なお、このフローは、情報収集対象選択手段６２を介して、対象機器を空気清浄機のダストセンサ、冷蔵庫、フィットネス機器、照明とした場合である。
【００５３】
図２に示すように、健康管理サーバ５０の情報収集手段６３が、被管理者宅１０の電気機器サーバ２０に対して、例えば、所定期間毎、例えば、毎日、又は一週間毎に、上述した対象機器に関する情報の取得要求を送信する（ステップＳ１）。電気機器サーバ２０は、取得要求を受信すると（ステップＳ２）、対象機器である電化製品１１及びセンサ１２の情報を健康管理サーバ５０に送信する（ステップＳ３）。次に、情報収集手段６３は、情報を受信し、格納する（ステップＳ４）。ここで、生活状況報知手段６４は、管理者や被管理者から要求があった場合に、又は所定のタイミングで、受信して格納された情報を、管理対象とした生活状況に関する生活目標や基準情報と比較して報知するようになっているが、ここでは、先ず、管理者端末４０へ情報を送信して、アドバイスを要求し、アドバイスを付加した情報を被管理者に送信するようになっている。すなわち、生活状況報知手段６４は、受信した情報を生活目標や基準情報と比較し（ステップＳ５）、このデータを管理者端末４０へ送信してアドバイスの入力要求を行う（ステップＳ６）。管理者は、管理者端末４０でこの要求を受信すると（ステップＳ７）、アドバイスを入力して送信し（ステップＳ８）、健康管理サーバ５０の生活状況報知手段６４は、これを受信して格納する（ステップＳ９）。生活状況報知手段６４は、アドバイスを付与したデータを受信し、必要に応じて結果報告書として格納し（ステップＳ１０）、これを被管理者宅１０の電気機器サーバ２０へ送信する（ステップＳ１１）。被管理者はこのデータを受信することにより（ステップＳ１２）、生活状況の改善が行われているか否か等の情報を得ることができる。
【００５４】
このように、この生活状況管理システムでは、被管理者が自ら掲げた生活目標を目指し、また、結果は客観的に評価されるので、健康管理に非常に有用である。
【００５５】
（実施形態２）
この実施形態は、生活目標を設定する際に、予め情報を収集し、この情報を基準となる基準情報などと比較し、的確に生活目標を設定するものであり、このフローを図３に示す。
【００５６】
図３に示すように、まず、被管理者宅１０の端末である電気機器サーバ２０から、生活状況管理依頼をすると（ステップＳ２１）、これを健康管理サーバ５０の管理受付手段６１が受信し、その情報を格納する（ステップＳ２２）。この管理受付により、管理したい管理対象生活状況と、被管理者の生活環境に関する情報が取得されたものとする。次いで、情報収集対象選択手段６２は、生活環境に関する情報及び管理対象生活状況に基づいて、予め、対象機器を選択する（ステップＳ２３）。ここでは、対象機器を空気清浄機のダストセンサ、冷蔵庫、照明とした場合を例とする。また、情報収集手段６３は、所定期間毎、例えば、毎日、又は一週間毎に、上述した対象機器に関する情報の取得要求を送信する（ステップＳ２４）。電気機器サーバ２０は、取得要求を受信すると（ステップＳ２５）、対象機器である電化製品１１及びセンサ１２の情報を健康管理サーバ５０に送信し（ステップＳ２６）、情報収集手段６３は、情報を受信して格納する（ステップＳ２７）。ここで、生活状況報知手段６４は、電気機器サーバ２０から受信して格納された情報を、基準情報と比較して（ステップ２８）、管理者端末４０へ報知し生活目標入力要求を送信する（ステップＳ２９）。管理者端末４０は、情報を受信し（ステップＳ３０）、これにより生活目標を設定し、電気機器サーバ２０へ送信して（ステップＳ３１）、被管理者に通知する（ステップＳ３２）。また管理者は、健康管理サーバ５０へ、生活目標を送信し（ステップＳ３３）、管理受付手段６１は生活目標を受信し、格納する（ステップＳ３４）。これにより生活目標が設定される。この後、生活目標が設定され、生活状況管理が行われるが、この際に対象機器は上述したように予備的に設定されたものと同一としてもよいが、見直しや追加などにより、一部あるいは全部異なってもよい。
【００５７】
さらに管理者は、被管理者にとって管理対象とすべき適切な管理対象生活状況を把握するために、例えば図４のようなアンケートを書面やネットワークを通じて実施したり、口頭または電話等の通信手段にて問い合わせしたりしてもよい。なお、図４のアンケートは、被管理者の通常の生活習慣を把握するためのものであり、食事や飲酒、喫煙、睡眠などに関する質問をするものである。
【００５８】
図５は、具体的な生活目標設定方法の例を示したものであり、対象機器がエアコンのダストセンサの場合である。センサのレベルのピーク１０１〜１０６は喫煙と思われ、一日のタバコの本数は、１０本と予想される。基準情報は、タバコは控えるだが、管理者は、急激な禁煙よりも段階的な減煙を選択し、生活目標は喫煙１日５本と提案している。
【００５９】
図６は、具体的な生活目標設定方法の他の例を示したものであり、対象機器が冷蔵庫である。センサのピーク１１１〜１１６は冷蔵庫を開けた後、飲食をしていると思われるが、午前中の冷蔵庫の開閉がないことから、朝食を抜いていると思われること、ピーク１１２、１１３、１１５及び１１６は間食及び夜食をしているとも予想される。基準情報は、１日３食、間食は控えるだが、管理者は生活目標として、朝食をとること、間食を１５時ごろの１回にすることを提案している。
【００６０】
図７は、具体的な生活目標設定方法の他の例を示したものであり、対象機器が部屋及びトイレの照明である。部屋の照明の点灯を示すピーク１３１では、照明が深夜に及んでいるため、夜更かしをしている可能性が高いと思われる。またトイレの照明の点灯を示すピーク１３２では、深夜にも頻繁に行っていることより、頻尿や下痢の可能性が高いと予測される。基準情報は、標準起床時間は６時、就寝時間は２３時であり、管理者は、生活目標として基準情報と同じ、起床時間を６時、就寝時間２３時にすることを提案している。また、就寝時間のトイレについては、被管理者に状況を問い合わせ、必要があれば、病院・薬局などに行き適切な処置をすることを提案している。
【００６１】
図８は、管理者が、健康管理サーバ５０から得た情報より、被管理者の生活目標を提案する例を示したものである。図４〜図７より、被管理者は高脂血症の予備軍と考えられる。高脂血症の予防のためには、前述した（１）脂っこい物、アルコール、お菓子、ジュース等糖分の摂取を控える、（２）タバコを控える、（３）適度な運動、が有効であり、当初対象機器だった、ダストセンサ、冷蔵庫、照明器具に加えて、フィットネス機器も対象に加えることを提案している。管理者は、被管理者から了承を得て、生活目標を決定し、健康管理サーバ５０に送信し、生活状況管理を行う。
【００６２】
図９は、生活目標を設定後、生活状況管理を行った後の具体的な分析の結果を予測した例を示したものであり、対象機器がエアコンのダストセンサであり、管理対象となる生活状況は喫煙であり、目標は１日当たり５本である。
【００６３】
図９に示すように、ダストセンサの電圧パルスを時間経過と共にプロットすると、喫煙と予想されるピーク１４１〜１４５が所定のタイミングで検出されている。ここで、ピーク１４１、１４２、１４４、１４５は、ダストセンサのダストレベルが急上昇していることを示し、喫煙と予測され、また、ピーク１４３は連続的に高いレベルなので、連続的な喫煙と予測され、結果として目標の５本を超している可能性を示している。また、ピーク１４１〜１４５の発生時間により、食事毎に喫煙している可能性があること、あるいは就寝前に喫煙して寝たばこの可能性があることなどが把握できる。
【００６４】
このようなデータは薬剤師などの管理者によりさらに分析され、アドバイスと共に被管理者に提供される。図９には生活状況管理者からのアドバイスの例を示してある。
【００６５】
図１０は、対象機器を冷蔵庫とし、その開閉と、規則正しい食事及び間食及び夜食はとらないという目標との関係を示したものである。
【００６６】
図１０に示す結果からは、午前中の朝食時には冷蔵庫の開閉がないので、朝食が抜かれた可能性があること、お昼時の開閉１５１は規則正しく昼食をしたことを示していると思われるが、夕方の開閉１５２は間食の可能性があることを示している。また、夜の開閉１５３は夕食を取ったことを示しているが、夜中の開閉１５４及び１５５は夜食の可能性を示している。
【００６７】
図１１は、対象機器を部屋及びトイレの照明としたものであり、生活目標は６時起床、２３時就寝である。
【００６８】
図１１の結果、部屋の照明の点灯を示すピーク１６１より、夜中の長時間の照明使用が確認され、不眠又は夜更かしをしている可能性が示唆される。また、トイレの照明の点灯を示すピーク１６２から深夜頻繁にトイレの照明の使用が確認され、頻尿、下痢の可能性が高いと予測される。
【００６９】
図１２は、対象機器をフィットネス機器（エアロバイク）とし、その使用状況と、週に３回、１時間の運動を行うという目標との関係を示したものである。
【００７０】
この結果、フィットネス機器の使用ピーク１７１〜１７４が確認されている。この結果、週に３回、１時間の運動を行うという目標は達成され、適度な運動が行われていることが確認される。
【００７１】
以上、図９〜図１２は、予測される分析例であり、これらは薬剤師などの管理者の分析により、専門的なアドバイスを例示したものである。
【００７２】
（実施形態３）
以下、ハウスダスト対策の場合を例にとって、さらに詳細に説明する。
【００７３】
まず、ハウスダストとは、室内に発生する１ｍｍ以下のホコリのことであり、ハウスダストを抑えるには、「カビダニの繁殖を抑える」、「ハウスダストを室外に追い出す」、「ハウスダストを除去する」などの対策が有効である。
【００７４】
このようなハウスダスト対策と、電化製品等との関係は、換気を例にとると、換気をこまめにすること、空気清浄機を使用することが重要となり、２４時間換気システムの稼動情報（清掃やメンテナンスの時だけ電源がＯＦＦとなる）、換気扇の使用情報（電源のＯＮ，ＯＦＦ情報）、空気清浄機の使用情報（電源のＯＮ，ＯＦＦ情報）が関連する。また、掃除を例にとると、掃除機をかけること、冷暖房器具のフィルタの清掃が重要となり、掃除機の使用情報（電源のＯＮ，ＯＦＦ情報）、エアコンの使用情報（電源のＯＮ，ＯＦＦ情報）、２４時間換気システムの稼動情報（清掃やメンテナンスの時だけ電源がＯＦＦとなる）が関連する。また、ハウスダスト対策には、室内の温度及び湿度情報が重要となる。
【００７５】
よって、ハウスダスト対策についての管理受付を行った場合には、生活状況管理対象者の生活環境に関する情報を把握するために、図１３に示すようなアンケートにより情報収集するのが好ましい。
【００７６】
また、生活目標を設定する際には、上述した実施形態２のように、予め対象機器を設定して予備的な情報収集を行い、基準情報と比較した上で、生活目標を設定してもよい。
【００７７】
図１４は生活目標設定方法の一例を示す図である。図１４は、生活状況を２４時間換気システム、冷暖房装置（エアコン）、掃除機、空気清浄機の使用状況とし、エアコンのダストセンサ、換気設備の電源のＯＮ，ＯＦＦ情報、エアコンの電源のＯＮ，ＯＦＦ情報、掃除機の電源のＯＮ，ＯＦＦ情報、空気清浄機の電源のＯＮ，ＯＦＦ情報に関して予備的に情報収集した結果を示す。
【００７８】
また、この結果、エアコンの使用１８１以降ダスト量が増加し、掃除機の使用１８２以降もダスト量の減少がないこと、また、空気清浄機の使用１８３によりダスト量が減少していることが把握できる。具体的には、エアコンの使用１８１によりダスト量が増加しているので、エアコンのフィルタが汚れている可能性がある。また、掃除機の使用１８２によってもダスト量が減少していないので、掃除機のフィルタの汚れによる吸引力の低下等の可能性もある。また、日中のダスト量の増加があり、窓開放による花粉等の侵入の可能性があることが予測される。なお、常時ダスト量が多いのは、図示していないが、２４時間換気システムのフィルタ清掃時期（電源ＯＦＦ情報）から２８日程度たっていることが把握されているので、フィルタの汚れにより、室内の温度及び湿度が適正に保たれていない可能性があることが予測される。また、基準情報には、換気、清掃をこまめに行い、フィルタ清掃をこまめに行うこととあるので、２４時間換気システム、冷暖房装置、掃除機のフィルタ清掃を月１回行い、ダスト量を基準情報である環境基準レベル、例えば、０．１５ｍｇ／ｍ３を下回るようになることを生活目標として提案した。
【００７９】
なお、この後、生活状況管理を行い、その結果の一例を図１５に示す。なお、この結果を出すための健康管理システムによる手順は上述した実施形態１と同様であるので、詳細な説明は省略する。
【００８０】
図１５の結果、掃除機の使用１９１及び空気清浄機の使用１９２が確認され、ダストセンサによるグラフ１９３は、殆どの時間に亘って環境基準レベルを下回っていることを示している。
【００８１】
以上、図１５は、予測される分析例であり、これらは保健士などの管理者の分析により、専門的なアドバイスの例も示した。
【図面の簡単な説明】
【００８２】
【図１】本発明の一実施形態に係る生活状況管理システムのシステム構成を示す図である。
【図２】本発明の実施形態１の生活状況管理システムのフローを示す図である。
【図３】本発明の実施形態２の生活状況管理システムのフローを示す図である。
【図４】本発明の実施形態２の生活状況管理システムの生活環境に関する情報を取得するためのアンケートの一例を示す図である。
【図５】本発明の実施形態２の生活状況管理システムによる生活目標設定のための分析結果の一例を示す図である。
【図６】本発明の実施形態２の生活状況管理システムによる分析結果の他の例を示す図である。
【図７】本発明の実施形態２の生活状況管理システムによる生活目標設定のための分析結果の他の例を示す図である。
【図８】本発明の実施形態２の生活状況管理システムによる生活目標設定のための分析結果の他の例を示す図である。
【図９】本発明の実施形態２の生活状況管理システムによる分析結果の一例を示す図である。
【図１０】本発明の実施形態２の生活状況管理システムによる分析結果の他の例を示す図である。
【図１１】本発明の実施形態２の生活状況管理システムによる分析結果の他の例を示す図である。
【図１２】本発明の実施形態２の生活状況管理システムによる分析結果の他の例を示す図である。
【図１３】本発明の実施形態３の生活状況管理システムによる生活環境に関する状況を取得するためのアンケートの一例を示す図である。
【図１４】本発明の実施形態３の生活状況管理システムによる生活目標設定のための分析結果の一例を示す図である。
【図１５】本発明の実施形態３の生活状況管理システムによる分析結果の一例を示す図である。
【符号の説明】
【００８３】
１０  被管理者宅
１１  電化製品
２０  電気機器サーバ
４０  管理者端末
５０  健康管理サーバ
６１  管理受付手段
６２  情報収集対象選択手段
６３  情報収集手段
６４  生活状況報知手段
【図１】
2007058852.tif 000003
【図２】
2007058852.tif 000004
【図３】
2007058852.tif 000005
【図４】
2007058852.tif 000006
【図５】
2007058852.tif 000007
【図６】
2007058852.tif 000008
【図７】
2007058852.tif 000009
【図８】
2007058852.tif 000010
【図９】
2007058852.tif 000011
【図１０】
2007058852.tif 000012
【図１１】
2007058852.tif 000013
【図１２】
2007058852.tif 000014
【図１３】
2007058852.tif 000015
【図１４】
2007058852.tif 000016
【図１５】
2007058852.tif 000017